(57)【特許請求の範囲】
【請求項１】
複数本のバーナからなるバーナユニットを複数備え、前記各バーナユニットの燃焼状態を個別に切り替えることで、燃焼能力を多段の燃焼段階で制御可能とした燃焼制御装置であって、
前記各燃焼段階で動作する前記バーナユニットのデータを不揮発性メモリに記憶し、前記データの書き換えによって前記各燃焼段階で動作する前記バーナユニットを任意に変更可能としたことを特徴とする燃焼制御装置。
【請求項２】
バーナユニットに１つ以上の燃焼検出手段を設けたものにおいては、各燃焼段階で動作する前記バーナユニットに合わせて前記燃焼検出手段が動作するデータを不揮発性メモリに記憶した請求項１に記載の燃焼制御装置。
【発明の詳細な説明】
【０００１】
【発明の属する技術分野】
本発明は、複数本のバーナからなるバーナユニットを複数備え、各バーナユニットの燃焼状態を個別に切り替えることで、燃焼能力を多段の燃焼段階で制御可能とした給湯器等の燃焼制御装置に関する。
【０００２】
【従来の技術】
給湯器等の燃焼制御装置には、複数本のバーナからなるバーナユニット（以下「ユニット」という）が備えられ、各ユニットへの分岐管に設けられた切替電磁弁を選択して開閉することで、各ユニットの燃焼状態を個別に切り替え、燃焼するバーナの本数を段階的に変更可能となっている。この各燃焼段階で動作するユニットの設定は、予めマイコンのＲＯＭ等の記憶媒体に固定的に記憶されている。
【０００３】
【発明が解決しようとする課題】
しかし、各燃焼段階で動作するユニットの設定がこのように固定されていると、機種が異なるとプログラムから修正する必要が生じて余計な手間がかかる。かといって機種ごとに異なるプログラムを製作するのは効率が悪く、コスト的に好ましくない。
【０００４】
そこで、請求項１に記載の発明は、各燃焼段階でのユニットの設定を簡単に変更可能として機種ごとの設定変更の要求に容易に対応でき、変更に係る手間やコストの増加を抑制できる燃焼制御装置を提供することを目的としたものである。
【０００５】
【課題を解決するための手段】
上記目的を達成するために、請求項１に記載の発明は、各燃焼段階で動作するバーナユニットのデータを不揮発性メモリに記憶し、そのデータの書き換えによって各燃焼段階で動作するバーナユニットを任意に変更可能としたことを特徴とするものである。
請求項２に記載の発明は、請求項１の目的に加えて、各燃焼段階で動作するバーナユニットの燃焼を確実に検出するために、バーナユニットに１つ以上燃焼検出手段を設け、各燃焼段階で動作するバーナユニットに合わせて燃焼検出手段が動作するデータを不揮発性メモリに記憶したものである。
【０００６】
【発明の実施の形態】
以下、本発明の実施の形態を図面に基づいて説明する。
図１は、燃焼制御装置としての給湯器１の概略図で、燃焼室２内には、熱交換器３を加熱する６本のバーナからなるバーナユニット（以下「ユニット」という）４と、４本のバーナからなるユニット５と、７本のバーナからなるユニット６とが備えられ、各ユニット４〜６には、ガス管７から各ユニット４〜６へ分岐する分岐管８，８・・が接続されている。又、各分岐管８には切替電磁弁９が、分岐前のガス管７には比例弁１０と元電磁弁１１とが夫々設けられている。一方、熱交換器３に通じる給水管１２には、水量センサ１４、入水温センサ１５が、出湯管１３には出湯温センサ１６が夫々設けられ、燃焼室２の下方には、燃焼用空気を供給するファン１７が備えられている。
１８はコントローラで、水量センサ１４による水量検出信号、入水温センサ１５による入水温度の検出信号、出湯温センサ１６による出湯温度の検出信号が夫々入力される。１９，１９・・は各ユニット４〜６に設けられた燃焼検出手段としてのフレームロッド、２０は点火電極である。
【０００７】
そして、図２は、コントローラ１８における制御ブロック図を示すもので、マイコン２１には、比例弁１０の開度を制御する比例弁制御回路２２、ファン１７の回転数を制御するファン駆動回路２３、点火電極２０を連続スパークさせる点火回路２４等の周知の回路に加えて、各切替電磁弁９ごとに設けられて各切替電磁弁９を個別に開閉させる電磁弁駆動回路２５，２５・・、フレームロッド１９ごとに設けられて各ユニット４〜６の燃焼を個別に検出する炎検出回路２６，２６・・が備えられている。
又、マイコン２１には、演算処理を実行するプログラム等を記憶させたＲＯＭ等のメモリの他、不揮発性メモリとしてＥＥＰＲＯＭ２７が設けられ、ここに各燃焼段階で燃焼させるユニット４〜６（動作させる電磁弁駆動回路２５，２５・・）のデータが記憶されている。このデータは、例えば図３のように、３つの切替電磁弁９のＯＮを「１」、ＯＦＦを「０」として、１５ビット（Ｐはパリティ）を、着火時「１１０」、一段「０１０」、二段「１００」、三段「１１０」、四段「１１１」と３ビットごとに書き込むものが考えられる。
更にＥＥＰＲＯＭ２７には、各燃焼段階の切り替え後のユニット４〜６の燃焼を確認するために、各燃焼段階で動作させる炎検出回路２６の設定も、炎検出回路のＯＮを「１」、ＯＦＦを「０」として、上記データと同様に記憶されている（図４）。
【０００８】
以上の如く構成された給湯器１においては、設定温度に従ってマイコン２１が必要な燃焼出力を演算し、その演算結果から比例弁１０の開度制御と切替電磁弁９の開閉による各ユニット４〜６の燃焼制御とを実行して燃焼段階を切り替えると共に、演算結果に応じてファン１７の回転数も制御する。各燃焼段階で燃焼させるユニット４〜６は、ＥＥＰＲＯＭ２７のデータに従って決定される。即ち、着火時は左と中央のユニット４，５が、一段では中央のユニット５のみが、二段では左のユニット４のみが、三段では左と中央のユニット４，５のみが、四段では全ユニット４〜６が夫々燃焼し、バーナの本数は、着火時１０本、一段４本、二段６本、三段１０本、四段１７本と切り替わることになる。
【０００９】
又、上記ユニット４〜６の切り替えに合わせて、炎検出回路２４〜２６の動作も切り替えられる。図４は、各燃焼段階におけるガスインプットとファン１７の回転数との関係を示すグラフであり、上にユニット４〜６と炎検出回路２６との各段ごとのデータを示す。ここではグラフ▲１▼が一段での燃焼範囲、グラフ▲２▼が二段での燃焼範囲、グラフ▲３▼が三段での燃焼範囲、グラフ▲４▼が四段での燃焼範囲を夫々示すもので、各グラフ間のａ、ｂが夫々各段階間の切り替えポイント（炎検出回路２６の切り替えポイント）となる。よって、各燃焼段階で切り替えられるユニット４〜６の燃焼（火移り）が、それに応じて切り替わる炎検出回路２６によって確認することができる。
【００１０】
そして、ここでは、各燃焼段階で動作するユニットがＥＥＰＲＯＭ２７に記憶されたデータで設定されているから、器具の種類によりユニットの数や各ユニットのバーナ本数が変更し、各段での設定を変えたい場合は、ＥＥＰＲＯＭ２７のみにおいてデータを書き換え、即ち、図３で示した各ビットごとに選択と非選択とのマークを変更すれば済む。よって、ユニットの数が２つ等であったり、燃焼段階が増減したりしても、機種に合わせて各燃焼段階で動作するユニットを簡単に変更可能となって、マイコン２１側でプログラムの変更を行う必要がなくなり、変更作業に手間がかからず、コストアップも抑制される。
又、炎検出回路２６の動作もＥＥＰＲＯＭ２７に記憶させて各燃焼段階ごとに切り替えるようにしているから、燃焼段階で動作するユニットに合わせてユニットの燃焼を確実に検出できるのに加え、設定の変更もデータの書き換えにより容易に行える。
さらに、炎検出回路をバーナユニットの数より少なくし、ロッドを２つのユニットにまたがるように設置したものにおいても、データの書き換えにより容易に行える。
【００１１】
尚、不揮発性メモリとしては、ＥＥＰＲＯＭに限らず、他のメモリを使用しても良いし、データの保存形式も上記形態に限定せず、他の形式を採用することは可能である。
【００１２】
【発明の効果】
請求項１に記載の発明によれば、各燃焼段階で動作するバーナユニットのデータを不揮発性メモリに記憶し、そのデータの書き換えによって各燃焼段階で動作するバーナユニットを任意に変更可能としたことで、機種ごとの設定変更の要求に容易に対応でき、変更作業に手間がかからず、コストアップも抑制される。
請求項２に記載の発明によれば、請求項１の効果に加えて、バーナユニットに１つ以上の燃焼検出手段を設けたものにおいては、各燃焼段階で動作するバーナユニットに合わせて動作する燃焼検出手段のデータを不揮発性メモリに記憶したことで、各燃焼段階で動作するバーナユニットに合わせてその燃焼を確実に検出できるのに加え、設定の変更もデータの書き換えにより容易に行える。
【図面の簡単な説明】
【図１】給湯器の概略図である。
【図２】コントローラの制御ブロック図である。
【図３】ユニット制御のデータの例を示す説明図である。
【図４】ガスインプットとファンの回転数との関係を示すグラフである。
【符号の説明】
１・・給湯器、３・・熱交換器、４，５，６・・バーナユニット、９・・切替電磁弁、１０・・比例弁、１７・・ファン、１８・・コントローラ、１９・・フレームロッド、２１・・マイコン、２２・・比例弁制御回路、２５・・電磁弁駆動回路、２６・・炎検出回路、２７・・ＥＥＰＲＯＭ。
【図１】
0004060013.tif 000002
【図２】
0004060013.tif 000003
【図３】
0004060013.tif 000004
【図４】
0004060013.tif 000005